(57)【要約】【課題】人の大便と成分や付着性が同等であり、同等の洗浄挙動を得ることのできる擬似便を提供する。【解決手段】（ａ）味噌、（ｂ）有機増粘剤及び（ｃ）水を含有する擬似便組成物。この擬似便を用いたトイレ用洗浄剤配合成分のスクリーニング方法も併せて提供される。【選択図】なし【特許請求の範囲】
【請求項１】
（ａ）味噌、（ｂ）有機増粘剤及び（ｃ）水を含有する擬似便組成物。
【請求項２】
更に（ｄ）脂肪酸を含有する請求項１記載の擬似便組成物。
【請求項３】
請求項１又は２いずれかに記載の擬似便組成物が付着した硬質表面に、スクリーニング対象となる成分を含む試験用組成物を適用して、前記成分のトイレ用洗浄剤に配合する成分としての適正を判定する、トイレ用洗浄剤に配合する成分のスクリーニング方法。
【発明の詳細な説明】
【技術分野】
【０００１】
本発明は、擬似便組成物及びこれを用いたスクリーニング方法に関する。
【背景技術】
【０００２】
トイレ用洗剤や防汚剤（便器表面への大便の付着を防止する剤）を開発する場合、実際の人の大便を用いると、その都度性質が異なり、便器表面への付着性に差が生じてしまう。よって、再現性の良い評価を実現するためには、人の大便と成分や付着性が同等であり、かつ硬さ等の物性を自由に制御できる擬似便が必要である。
【０００３】
擬似便としては、特許文献１〜２に記載されているように、釣魚用配合飼料と穀物粉及び糖類を用いて作成することが知られている。また、特許文献３に記載されているように、擬似便として味噌を用いることが知られている。また、特許文献４〜６に記載されているように、油脂分と水分と有機・無機分とを含む模擬便基質に、染料や無機質微粒子や中空フィラーを配合することにより、視認性、粘度、比重を調整できることが知られている。
【先行技術文献】
【特許文献】
【０００４】
【特許文献１】特開平１０−３１９０２２号公報
【特許文献２】特開平１１−２４２０２７号公報
【特許文献３】特開２００３−１８５６５１号公報
【特許文献４】特開２００７−３１５９７３号公報
【特許文献５】特開２００７−３１５９７４号公報
【特許文献６】特開２００７−３１５９７５号公報
【発明の概要】
【発明が解決しようとする課題】
【０００５】
しかしながら、特許文献１〜２に記載の釣魚用配合飼料と穀物粉及び糖類からなる擬似便は、外観や感触は実際の大便に近いものの、組成が異なるために便器表面への付着性が実際の大便と異なっていた。また、特許文献３では擬似便として味噌が用いられているが、これを便器に付着させても、水溶性が高いために水を流して除去する場合の洗浄挙動が実際の大便とは異なるものであった。さらに、特許文献４〜６には、油脂分と水分と有機・無機分とを含む模擬便基質に、染料や無機質微粒子や中空フィラーを配合することにより、視認性、粘度、比重を調整することが記載されているが、無機粒子や中空フィラーは比重が大きいために便器表面に残留し易く、その洗浄挙動はやはり実際の大便とは異なるものであった。
【０００６】
従って本発明の課題は、人の大便と成分や付着性が同等であって、便器等に付着させて水を流して除去する場合に同等の洗浄挙動が得られる擬似便、及びこれを用いたスクリーニング方法を提供することにある。
【課題を解決するための手段】
【０００７】
本発明は、（ａ）味噌〔以下、（ａ）成分という〕、（ｂ）有機増粘剤〔以下、（ｂ）成分という〕及び（ｃ）水〔以下、（ｃ）成分という〕を含有する擬似便組成物に関する。
【０００８】
また、本発明は、上記本発明の擬似便組成物が付着した硬質表面に、スクリーニング対象となる成分を含む試験用組成物を適用して、前記成分のトイレ用洗浄剤に配合する成分としての適正を判定する、トイレ用洗浄剤に配合する成分のスクリーニング方法に関する。
【発明の効果】
【０００９】
本発明によれば、人の大便と成分や便器に対する付着性が同等であり、かつ水を流して除去する場合に同等の洗浄挙動が得られる擬似便が提供される。また、本擬似便を用いることにより、トイレ用洗浄剤に配合する成分のスクリーニングを精度良く行うことができる。
【発明を実施するための形態】
【００１０】
＜（ａ）成分＞
本発明で用いる（ａ）成分は味噌であり、穀物を発酵させることにより製造されたものである。具体的な穀物としては、米、麦、豆を用いることができる。（ａ）成分としては、大豆と米を用いて製造された米味噌が好ましい。
【００１１】
本発明の擬似便組成物中の（ａ）成分の比率は、２０〜８０質量％、更に３０〜７０質量％、より更に４０〜６０質量％が好ましい。
【００１２】
＜（ｂ）成分＞
本発明で用いる（ｂ）成分は有機増粘剤であり、例えばペクチン、カルボキシメチルセルロース、メチルセルロース、ヒドロキシエチルセルロース、ポリビニルアルコール、ポリビニルピロリドン、ポリエチレングリコール、トラガントガム、カラギーナン、ローカストビーンガム、デキストリン、デキストリン脂肪酸エステル、（メタ）アクリル酸系ポリマー、キサンタンガム、グアーガム、ゼラチン、アルギン酸ナトリウム、アラビアゴム、デンプン等の水溶性高分子が挙げられる。
【００１３】
実際の大便に近い粘度を実現する増粘性の点から、ヒドロキシエチルセルロース、キサンタンガム、グアーガム、（メタ）アクリル酸系ポリマーが好ましく、キサンタンガムが最も好ましい。
【００１４】
本発明の擬似便組成物中の（ｂ）成分の比率は、０．１〜１０質量％、更に１〜７質量％、より更に１〜５質量％が好ましい。
【００１５】
＜（ｃ）成分＞
本発明の擬似便組成物は、上述の（ａ）及び（ｂ）成分を（ｃ）成分である水に溶解、乳化、分散させた組成物の形態であり、用いる水は微量の金属を除去したイオン交換水や蒸留水が好ましく、塩素を０．１〜１０ｐｐｍ溶解させた次亜塩素酸滅菌水を用いることも好適である。本発明の擬似便組成物中の（ｃ）成分の比率（ただし（ａ）成分に含まれる水分は除く）は、２０〜７０質量％、更に３０〜６０質量％、より更に４０〜６０質量％が好ましい。
【００１６】
＜（ｄ）成分＞
本発明の擬似便組成物は、更に（ｄ）成分として脂肪酸を含有することが好ましい。脂肪酸としては、飽和脂肪酸、不飽和脂肪酸のいずれであってもよく、また両者を併用しても良い。また、脂肪酸は、炭素数６〜２２のものが好ましい。脂肪酸は、２０℃で液体であることが好ましい。（ｄ）成分としては、オレイン酸が好ましい。本発明の擬似便組成物中の（ｄ）成分の比率〔ただし（ａ）成分に含まれる脂肪酸は含まない〕は、０．１〜１０質量％、更に１〜７質量％、より更に１〜５質量％が好ましい。
【００１７】
＜色素＞
本発明の擬似便組成物は、色素を含有することが好適である。具体的な色素としては、水性染料、油性染料、顔料が挙げられる。これらの中で、油性染料と顔料を併用することが最も好ましい。より具体的には、油性染料としてはスダンIIが好ましく、顔料としては墨汁が好ましい。
【００１８】
＜その他＞
本発明の擬似便組成物には、任意成分として、防腐剤、溶剤、セルロース繊維などを含有してもよい。ただし、無機粒子は比重が大きいために便器表面に残留し易く、これを含有する擬似便の洗浄挙動は実際の大便とは異なる。よって、無機粒子を含有する場合は、本発明の擬似便組成物中の無機粒子の合計量の比率は１質量％以下であることが好ましい。
【００１９】
＜粘度＞
本発明の擬似便組成物は、２０℃にてＴＶ−２２型粘度計（ローターＮｏ．７、回転数５０ｒ／ｍ）で測定した粘度が、１Ｐａ・ｓ以上であるものが好ましく、より好ましくは１〜８０Ｐａ・ｓ、更に好ましくは１０〜７０Ｐａ・ｓのもが好適である。
【００２０】
本発明の擬似便は、（ａ）成分、（ｂ）成分、及び（ｃ）成分を配合してなるものであり、一般に、これらを所定の比率で混合することで製造できる。また、（ｄ）成分など、必要に応じて用いられる任意成分も、いずれの段階で混合して製造してもよい。
【００２１】
本発明の擬似便組成物は、トイレ用処理剤に配合する成分のスクリーニングに好適に用いられる。トイレ用処理剤としては、トイレの洗浄、防汚性付与、芳香付与などを目的にした各種処理剤が挙げられ、具体的には、トイレ用洗浄剤、トイレ用防汚剤、トイレ用清浄剤、トイレ用芳香剤などが挙げられる。一剤でこれらの複数の処理を目的としたものでもよい。本発明により、本発明の擬似便組成物が付着した硬質表面（ガラス、陶器、タイル等）に、トイレ用処理剤中のスクリーニング対象となる成分を含む試験用組成物を適用して、前記成分のトイレ用洗浄剤に配合する成分としての適正を判定する、トイレ用洗浄剤に配合する成分のスクリーニング方法が提供される。
【実施例】
【００２２】
表１に示す配合組成で擬似便組成物を調製し、以下の評価を行った。
【００２３】
・硬さ
２５℃の室温にて、スライドガラス（松浪ガラス工業株式会社  Ｓ１１１２）２枚の間に、擬似便組成物１ｇを挟み、手で押さえつけた時の硬さを男性４人（３０代２人、４０代２人）のパネルに評価してもらい、下記判定基準で評価し、４人の平均値を表１に示した。
４：弾力があり硬い（実便相当）
３：やや硬いが、実便より軟らかいレベル
２：実便より軟らかく押さえつけると容易に変形するレベル
１：流動性を有するレベル
【００２４】
・付着便の除去性
２５℃の室温にて、スライドガラス（松浪ガラス工業株式会社  Ｓ１１１２）に擬似便組成物０．２５ｇを１ｃｍ×１ｃｍの場所にできるだけ均一な厚さとなるように塗布し、これを大便器（ＴＯＴＯ  ＣＳ２６０Ｂ）の洗浄水の出口に設置し、２０℃の水を１回流して擬似便組成物を除去し、残留している場合は、再度水を流し、完全に固形物が除去できるまでの回数で除去性を評価した。
【００２５】
・便器表面への残留物
付着便の除去性を評価したスライドガラスを乾燥後、蛍光灯にかざし、残留物の有無を下記判定基準で評価した。なおこの残留物は、無機粒子や中空フィラーに由来するものと考えられる。
○：擬似便組成物の付着していた部分は透明で残留物がない
×：擬似便組成物の付着していた部分が白く曇っており、残留物が認められる
【００２６】
【表１】
2014010134.tif 000002
【００２７】
（注）表１中の成分は以下のものである。
１）味噌：かねこみそ株式会社製  かねこみそ（米みそ）
２）キサンタンガム：ＤＳＰ五協フード＆ケミカル株式会社製  エコーガムＴ
３）架橋ポリアクリル酸：住友製薬株式会社製  アクペックＨＶ５０１Ｅ
４）無機質微粒子：日本アエロジル株式会社製アエロジル２００
５）中空ガラスビーズ：住友スリーエム（株）スコッチライトグラスバブルスＫ３７、平均粒径４５μｍ、かさ密度０．２４ｇ／ｃｍ3